(57)【要約】  衣服および衣服を形成する方法であって、上記衣服は、着用者の身体部分に適合するように構成された生地を含み、抵抗ゾーンが上記生地に継ぎ目無く一体的に形成され、上記抵抗ゾーンは、上記着用者の上記身体部分の動きに抵抗するように上記生地に配置される。  【選択図】図８
2018518609.tif 000002
【特許請求の範囲】
【請求項１】
着用者の身体部分に適合するように構成された生地を含む衣服であって、抵抗ゾーンが前記生地に継ぎ目無く一体的に形成され、前記抵抗ゾーンは、前記着用者の前記身体部分の動きに抵抗するように前記生地に配置される、衣服。
【請求項２】
前記生地が編地または織地である、請求項１に記載の衣服。
【請求項３】
前記生地が３次元（３Ｄ）編地である、請求項２に記載の衣服。
【請求項４】
前記抵抗ゾーンが抵抗バンドである、請求項１に記載の衣服。
【請求項５】
前記生地と前記抵抗ゾーンが、丸編機を使用して形成される、請求項１に記載の衣服。
【請求項６】
前記抵抗ゾーンが、前記身体部分の仮想モデル上への前記衣服の仮想モデルの仮想プロトタイピングを用いて、前記生地に配置される、請求項１に記載の衣服。
【請求項７】
前記仮想プロトタイピングが、前記身体部分の前記仮想モデル上への前記仮想衣服モデルの有限要素解析（ＦＥＡ）を含む、請求項６に記載の衣服。
【請求項８】
前記抵抗ゾーンが、前記生地の編みもしくは織りのパターンを変化させること、前記生地の構成を変化させること、またはそれらの組み合わせによって継ぎ目無く形成される、請求項２に記載の衣服。
【請求項９】
前記衣服が、腕スリーブ、脚スリーブ、ボディスリーブ、パンツ、トップス、およびそれらの組み合わせを含む、請求項１に記載の衣服。
【請求項１０】
前記衣服が、前記パンツと前記トップスを備える抵抗スーツを含む、請求項９に記載の衣服。
【請求項１１】
前記パンツがウエストと脚の対とを備え、前記脚がそれぞれ、前記着用者のふくらはぎの下で終端する、請求項９に記載の衣服。
【請求項１２】
前記抵抗ゾーンが、前記ウエストから下方に延びて、前記着用者の前記ふくらはぎの筋肉を後方に向かって取り囲み、その筋肉の下でその筋肉に固定されるように配置され、ならびに、前記着用者の膝を前方に向かって取り囲み、その膝の下でその膝に固定されるように配置される、請求項１１に記載の衣服。
【請求項１３】
前記抵抗ゾーンが、前記身体が動くと前記ウエストと前記ふくらはぎとの間にある前記着用者の筋肉に抵抗をかけるように配置され、前記筋肉が、大臀筋、上脚部の筋肉、下脚部の筋肉、およびそれらの組み合わせを含む、請求項１１に記載の衣服。
【請求項１４】
前記抵抗ゾーンが、前記身体部分の生体力学的運動に抵抗する、前記身体部分の可動域を制限する、またはそれらの組み合わせを行うように配置される、請求項１に記載の衣服。
【請求項１５】
前記生地は、合成繊維、天然繊維、またはそれらの組み合わせもしくは混紡を含む、請求項１に記載の衣服。
【請求項１６】
前記生地が、ポリアミドおよびエラスタンを含む、請求項１５に記載の衣服。
【請求項１７】
前記衣服が、スポーツウェアの衣服、運動服、ランニング服、ヨガ服、リハビリ服、クロスフィット服、獣医学的衣服、およびそれらの組み合わせとして構成される、請求項１に記載の衣服。
【請求項１８】
リハビリ服を含む請求項１７に記載の衣服であって、前記抵抗ゾーンが、セラバンド療法、スポーツテーピング、またはそれらの組み合わせによって提供される目標抵抗を模倣するように配置される、衣服。
【請求項１９】
着用者の身体部分に適合する衣服の生地に抵抗ゾーンを継ぎ目無く一体的に形成することを含む方法であって、前記抵抗ゾーンが、前記身体部分の動きに抵抗するように前記生地に配置される、方法。
【請求項２０】
前記抵抗ゾーンが、３Ｄ編みによって前記生地に継ぎ目無く一体的に形成される、請求項１９に記載の方法。
【発明の詳細な説明】
【技術分野】
【０００１】
本発明は、継ぎ目無しの一体的抵抗ゾーンを有する抵抗衣服に関する。
【背景技術】
【０００２】
スポーツにおけるレジスタンストレーニング用の抵抗スーツなどの抵抗衣服は、従来、生地に固定された抵抗バンドを備える。抵抗バンドは、身体が動くときの着用者の筋肉の膨張／収縮に抵抗するように配置される。この生地は典型的には、抵抗衣服が抵抗をかけると共に一定の圧迫も行うように、弾力のある弾性材料を含んでいる。
【０００３】
従来の抵抗衣服は、様々な不利な点を有する。こういった抵抗衣服は典型的には、かさばる弾性バンドに伴って継ぎ目と溝を有するが、これらの継ぎ目と溝は、身体にぴったりとフィットしないか、滑らかに適合せず、代わりに身体部分が動くとしわになり、肌に対して擦れる傾向にある。継ぎ目とかさばる弾性バンドとにより、従来の抵抗衣服に見苦しく不快な筋が生じ、これらの筋が従来の抵抗衣服のフィット感、ファッション性および機能に悪影響を及ぼしている。
【発明の概要】
【発明が解決しようとする課題】
【０００４】
こういった文脈で、改善されたフィット感、ファッション性および機能を有する抵抗衣服が必要になる。
【課題を解決するための手段】
【０００５】
本発明によると、着用者の身体部分に適合するように構成された生地を含む衣服が提供され、抵抗ゾーンが上記生地に継ぎ目無く一体的に形成され、上記抵抗ゾーンは、上記着用者の上記身体部分の動きに抵抗するように上記生地に配置される。
【０００６】
上記生地は編地（knitted fabric）または織地（woven fabric）にしうる。例えば、上記生地は３次元（３Ｄ）編地にしうる。
【０００７】
上記抵抗ゾーンは抵抗バンドにしうる。
【０００８】
上記生地と上記抵抗ゾーンは、丸編機（circular knitting machine）を使用して形成されうる。
【０００９】
上記抵抗ゾーンは、上記身体部分の仮想モデル上への上記衣服の仮想モデルの仮想プロトタイピングを用いて、上記生地に配置されうる。上記仮想プロトタイピングは、上記身体部分の上記仮想モデル上への上記仮想衣服モデルの有限要素解析（ＦＥＡ）を含みうる。身体部分の仮想モデルは、身体部分のメッシュ３Ｄモデルを含みうる。
【００１０】
上記抵抗ゾーンは、上記生地の編みもしくは織りのパターンを変化させること、上記生地の構成を変化させること、またはそれらの組み合わせによって継ぎ目無く形成されうる。
【００１１】
上記衣服は、腕スリーブ、脚スリーブ、ボディスリーブ、パンツ、トップス、およびそれらの組み合わせを含みうる。例えば、上記衣服は、上記パンツと上記トップスを備える抵抗スーツを含みうる。
【００１２】
上記パンツはウエストと脚の対とを備えることができ、上記脚はそれぞれ、上記着用者のふくらはぎの下で終端する。
【００１３】
上記抵抗ゾーンは、上記ウエストから下方に延びて、上記着用者の上記ふくらはぎの筋肉を後方に向かって取り囲み、その筋肉の下でその筋肉に固定されるように、上記生地に配置されうる。上記抵抗ゾーンは、上記着用者の膝を前方に向かって取り囲み、その膝の下でその膝に固定されうる。
【００１４】
上記身体部分は、腕、脚、上胴体部、下胴体部、およびこれらの組み合わせを含みうる。上記抵抗ゾーンは、上記身体部分が動くと上記ウエストと上記ふくらはぎとの間にある上記着用者の筋肉に抵抗をかけるように配置されうる。例えば、上記筋肉は、大臀筋、上脚部の筋肉、下脚部の筋肉、およびそれらの組み合わせを含みうる。
【００１５】
上記抵抗ゾーンは、上記身体部分の生体力学的運動に抵抗する、上記身体部分の可動域を制限する、またはそれらの組み合わせを行うように配置されうる。
【００１６】
上記生地は、合成繊維、天然繊維、またはそれらの組み合わせもしくは混紡を含みうる。例えば、上記継ぎ目無し生地は、ポリアミドおよびエラスタンを含みうる。
【００１７】
上記衣服は、スポーツウェアの衣服、運動服、ランニング服、ヨガ服、リハビリ服、クロスフィット服、獣医学的衣服、およびそれらの組み合わせとして構成されうる。例えば、上記衣服はリハビリ服を含むことができ、上記抵抗ゾーンが、セラバンド療法、スポーツテーピング、またはそれらの組み合わせによって提供される目標抵抗を模倣するように配置される。
【００１８】
本発明はまた、着用者の身体部分に適合する衣服の生地に抵抗ゾーンを継ぎ目無く一体的に形成することを含む方法であって、上記抵抗ゾーンが、上記身体部分の動きに抵抗するように上記生地に配置される、方法を提供する。
【００１９】
上記抵抗ゾーンは、３Ｄ編みによって上記生地に継ぎ目無く一体的に形成されうる。
【００２０】
次に、本発明の実施形態について、単なる例示として添付の図面を参照して説明する。
【図面の簡単な説明】
【００２１】
【図１】図１ａは、本発明の一実施形態による抵抗パンツの概略図である。図１ｂおよび図１ｃは、それぞれ図１ａの抵抗パンツの外脚部、内脚部の図である。
【図２】本発明の実施形態による抵抗ランニングパンツの概略図である。
【図３】本発明の実施形態による抵抗ヨガパンツの概略図である。
【図４】本発明の実施形態による抵抗運動パンツの概略図である。
【図５】下半身のメッシュ３Ｄモデルを用いた抵抗パンツの仮想ＦＥＡのスクリーンショットである。
【図６】下半身のメッシュ３Ｄモデルを用いた抵抗パンツの仮想ＦＥＡのスクリーンショットである。
【図７】本発明の一実施形態による抵抗スリーブの写真である。
【図８】本発明の一実施形態による抵抗パンツの写真である。
【図９】図９ａおよび図９ｂは、従来のジムショーツと比較した、図８の抵抗パンツを着用して生成された股関節の最大トルクおよび股関節の平均パワーのダイナモメータ試験結果である。
【図１０】図１０ａおよび図１０ｂは、従来のジムショーツと比較した、図８の抵抗パンツを着用して生成された膝の最大トルクおよび膝の平均パワーのダイナモメータ試験結果である。
【発明を実施するための形態】
【００２２】
図１および図１０に、本発明の実施形態による抵抗衣服１０が示されている。これらの実施形態では、抵抗衣服１０は抵抗パンツ１０を含みうる。抵抗パンツ１０はウエスト１２と脚の対１４を有し、脚１４はそれぞれ、着用者のふくらはぎ１６の下で終端している（図示せず）。着用者は、人間、または馬や犬などの動物であってもよい。衣服１０は、下半身や脚などの着用者の身体部分に適合するように構成された生地から形成されうる。衣服１０は完全に継ぎ目無しであっても、あるいは少なくとも１つの継ぎ目、例えば片側の継ぎ目を有してもよい。上記生地に、抵抗ゾーン１８が継ぎ目無く一体的に形成されうる。いくつかの実施形態では、衣服１０は、抵抗ゾーン１８の周囲で局所的に継ぎ目無しにできる。例えば、脚スリーブを互いに連結する継ぎ目および／または脚スリーブを抵抗パンツ１０のウエスト１２に連結する継ぎ目がある場合であっても、抵抗パンツ１０の各脚スリーブ１４は継ぎ目無しにできる。抵抗ゾーン１８とその周囲を継ぎ目無し構造にすることによって、そういった領域における抵抗が、意図的に配置された抵抗ゾーン１８のみに依存し、不快で見苦しい継ぎ目によってかかることがないようにする。
【００２３】
抵抗ゾーン１８は、細長い抵抗バンド１８を含みうる。抵抗ゾーン１８には、他の等価または代替の形状および幾何学的配置も使用されうる。抵抗バンド１８は、衣服１０の大部分を形成するベース生地と比べて弾力性が低く（すなわち弾性率が高く）、復元力が低下または抵抗力が増大しうる。例えば、抵抗ゾーン１８は、ベース生地の約１０倍の剛性を有しうる。
【００２４】
抵抗バンド１８は、着用者の身体部分の動きに抵抗するように生地に配置されうる。例えば、抵抗バンド１８は、身体部分における筋肉の膨張および／または収縮に抵抗、あるいはそれらを制限できる。この動きに対する抵抗により、着用者が動くときに行う筋肉の仕事量が増加し、それによって運動または他の身体活動の効率が高まる。さらに、またはその代わりに、抵抗バンド１８は、身体部分の生体力学的運動に抵抗またはそれを制限できる。例えば、抵抗パンツ１０は、股関節および／または膝の伸張および／または屈曲に抵抗できる。さらに、またはその代わりに、抵抗バンド１８は、身体部分の可動域に抵抗またはそれを制限できる。これらの実施形態は、例えばセラバンド（ＴｈｅｒａＢａｎｄ、登録商標）療法および／またはスポーツテーピングの代替治療または補完的治療として、理学療法およびリハビリに有用でありうる。例えば、抵抗パンツ１０は、クラムシェル運動やサイドステップ運動などの運動を行うときのセラバンドの配置を模倣するように構成された抵抗ゾーン１８を、ヒップ領域およびウエスト領域の全体にわたって備えることができる。身体部分は、腕、脚、上胴体部、下胴体部、およびそれらの組み合わせを含みうる。抵抗ゾーン１８の両端は、身体部分上に隔置された解剖学的アンカーポイントに固定されうる。解剖学的アンカーポイントは、身体部分の骨、筋肉および／または軟組織における任意かつ全ての適当な隔置された突起を含みうる。
【００２５】
例えば、生地への抵抗バンド１８の配置は、ウエスト１２から下方に延びて、着用者のふくらはぎ１６の筋肉を後方に向かって取り囲み、その筋肉の下でその筋肉に固定されるように行うことができる。抵抗バンド１８は、着用者の膝を前方に向かって取り囲み、その膝の下でその膝に固定されてもよい。衣服１０の前側および後側への抵抗バンド１８の配置が、それぞれ薄い灰色の線、暗い灰色の線によって図１ａ〜１ｃに示されている。抵抗バンド１８は、身体が動くとウエスト１２とふくらはぎ１８との間にある着用者の筋肉に抵抗をかけるように配置されうる。例えば、この筋肉は、大臀筋、上脚部の筋肉、下脚部の筋肉、およびそれらの組み合わせを含みうる。
【００２６】
他の実施形態では、衣服１０は、ソックス、ストッキング、腕スリーブ、脚スリーブ、ボディスリーブ、パンツ、トップス、またはそれらの組み合わせにしうる。スリーブ、パンツおよびトップスは、衣服１０の所望の用途と外観に応じて、１０分丈または５分丈にしうる。抵抗衣服１０は、任意の全ての従来の形状、サイズ、裁断、パターン、長さ、幅、厚さなどで構成されうる。例えば、衣服１０は、パンツとトップスを備える抵抗スーツを含みうる。図２〜図４を参照すると、抵抗衣服１０はそれぞれ、ランニング服、ヨガ服、運動服などのスポーツウェアの衣服でありうる。さらに、衣服１０は、リハビリ服またはクロスフィット（ＣＲＯＳＳＦＩＴ、登録商標）服（図示せず）として構成されうる。他の実施形態では、抵抗衣服１０は、例えば圧迫ソックスや圧迫ストッキングなどの、治療用圧迫服として構成されうる。こういった衣服は、浮腫や静脈炎、血栓症などの静脈疾患を治療するために使用されうる。
【００２７】
継ぎ目無く形成された抵抗ゾーン１８によってもたらされる抵抗力は、抵抗衣服１０の意図された目的に基づいて、選択的に変更および制御されうる。例えば、抵抗ゾーン１８の位置、３Ｄ構造、厚さ、幅、表面積、材料組成および生地の構成は、抵抗衣服１０の意図された用途および／または意図された使用者に適した様々なレベルの抵抗力を提供するように、選択的かつ個別に変更できる。例えば、リハビリ服１０の抵抗ゾーン１８によってもたらされる抵抗力は、運動服またはクロスフィット服１０の抵抗ゾーン１８によってもたらされる抵抗力よりも小さくなりうる。他の実施例では、股関節屈筋挫傷を治療するためのリハビリパンツにおける抵抗ゾーン１８の配置は、膝の前十字靭帯（ＡＣＬ）挫傷を治療するためのリハビリパンツにおける抵抗ゾーンの配置と異なりうる。抵抗ゾーン１８は、低／中／高の抵抗レベルなど、異なるレベルの抵抗力を提供するように構成されうる。いくつかの実施形態では、継ぎ目無く形成された抵抗ゾーン１８によってかかる抵抗が、抵抗衣服１０全体にわたって選択的に変化しうる。例えば、治療用圧迫ソックスのための抵抗ゾーン１８は、抵抗が足首からウエストに向かって徐々に減少するように構成されうる。
【００２８】
抵抗衣服１０は、あるいは、馬や犬などの動物用の獣医学的衣服１０として実施されうる。例えば、獣医学的衣服１０は、競走馬またはグレイハウンド用の訓練服および／またはリハビリ服として構成されうる。獣医学的衣服１０は、動物の上脚部および／または下脚部に適合するように構成されうる。抵抗ゾーン１８は、動物の上脚部および／または下脚部の動きに抵抗するように配置し、構成されうる。
【００２９】
生地は、編地または織地にしうる。例えば、生地は３Ｄ編地にすることができる。生地と抵抗バンド１８は、フラット編機や経編機、丸編機などの単一の機械を使用して、単一プロセスで互いに一体的に形成されうる。ベース材よりも高められた抵抗ゾーンの抵抗は、生地の編みもしくは織りのパターンを変化させること、生地の構成を変化させること、またはそれらの組み合わせによって実現されうる。こうして形成された抵抗ゾーン１８は、ベース生地に継ぎ目無く一体化される。生地は、合成繊維、天然繊維、またはそれらの組み合わせもしくは混紡を含みうる。例えば、生地は、ポリアミドおよびエラスタンを含みうる。他の等価または代替の繊維、例えば、ナイロン／ライクラ（登録商標）の混紡も使用されうる。
【００３０】
抵抗バンド１８は、身体部分の仮想モデル上への衣服１０の仮想モデルの仮想プロトタイピング用いて、生地内に計画され配置されうる。仮想プロトタイピングは、身体部分の仮想モデル上への仮想衣服モデルのＦＥＡを含みうる。身体部分の仮想モデルは、身体部分のメッシュ３Ｄモデルを含みうる。図５および図６は、下半身のメッシュ３Ｄモデルを用いた抵抗パンツ１０の仮想ＦＥＡのスクリーンショットである。この３Ｄモデルは、股関節と膝関節の周りの回転を、具体的には左脚を３０度前方に伸ばし、右脚を後方に５度旋回させてシミュレートした。これは、走る、歩く、ウェイトリフティング、ヨガなどの多くの身体活動中に頻繁に行われる下肢運動をシミュレートする。図５および図６に示されている抵抗バンド１８に沿ったグレースケールの変化は、仮想ボディに対する抵抗負荷の変動を表し、明るいグレーほど負荷が高いことを示す。この実施例では、抵抗ゾーン１８の配置によって、例えば膝領域よりも、大臀筋／大腿四頭筋領域に高い負荷がかかる。この仮想モデリング技法は、抵抗ゾーン１８の様々な配置によって着用者の身体の様々な姿勢にかかる様々なレベルの抵抗をシミュレートするために使用されうること、意図された用途および／または意図された使用者に応じて抵抗衣服１０をカスタマイズ、試作するために使用されうることが理解されよう。
【００３１】
次に、本発明を、以下の実施例に関して、単なる例示としてより詳細に説明する。これらの実施例は本発明を説明する役目を果たすためのものであり、これらの実施例を、本明細書の全体にわたる記載内容の開示の一般性を限定するものと解釈すべきではない。
【００３２】
実施例１：抵抗スリーブ
図７を参照すると、ポリアミド９２％とエラスタン８％を含んだ３Ｄ編地から、サントーニ（Ｓａｎｔｏｎｉ）丸編機を使用して、抵抗脚スリーブまたは抵抗腕スリーブ１０を作成した。２つの異なる編みパターンを用いて、ベース生地およびそれと一体的に継ぎ目無く形成された抵抗バンド１８を生成した。抵抗バンド１８は、抵抗スリーブ１０の正面および背面から見て「Ｘ」形に形成、配置した。
【００３３】
生地および抵抗バンド１８からなる４つの試料を、抵抗スリーブ１０から採取し、ロードセル１００Ｎ、ゲージ長４０ｍｍの３０ｋＮインストロン（Ｉｎｓｔｒｏｎ、登録商標）引張試験機を使用して、引張強度試験にかけた。各試料に、０．５Ｎの力を５ｍｍ／ｓの速度で予め加えた。次いで、各試料を、５ｍｍ／ｓの速度で、元のゲージ長よりも８０ｍｍ長くなるまで伸ばした。伸びの長さが８０ｍｍに達すると試験を停止し、試験装置の顎部をその開始位置に戻し、試料を取り除いた。
【００３４】
各試料の長さおよび幅を、定規を用いて測定し、３つの測定値の概算平均をとった。試料の厚さは、布用デジタルマイクロメータを使用して測定し、３つの測定値の平均をとった。各試料の弾性率を、インストロン・ブルーヒル（Ｂｌｕｅｈｉｌｌ、登録商標）３プログラムで計算した。引張強度試験の結果を以下の表１に示す。
表１：引張強度試験の結果
【表１】
2018518609.tif 000003
【００３５】
上記の結果は、継ぎ目無く一体的に形成された抵抗バンド１８が、衣服１０の主要部分を形成するベース生地と比べて高い弾性率を有することを示している。
【００３６】
実施例２：抵抗パンツ
図８に、ポリアミド９２％とエラスタン８％を含んだ３Ｄ編地から、サントーニ丸編機を使用して作成した抵抗パンツ１０が示されている。２つの異なる編みパターンを用いて、ベース生地およびそれと一体的に継ぎ目無く形成された抵抗バンド１８をそれぞれ生成した。抵抗バンド１８は、抵抗パンツ１０の正面および背面から見て「Ｘ」形に形成、配置した。
【００３７】
脚の動きに対する抵抗パンツ１０の影響を、バイオデックス（Ｂｉｏｄｅｘ、登録商標）ダイナモメータを使用して測定した。試験した動きは、股関節の周りの回転、および膝関節周りの回転であった。図９ａおよび図９ｂは、バイオデックスダイナモメータを使用して測定した股関節の最大トルクおよび股関節の平均パワーの試験結果を示す。「抵抗」と記された棒グラフは、図８の抵抗パンツ１０を着用して得られた測定値を示し、「対照」と記された棒グラフは、従来の非圧迫ジムショーツを着用して得られた結果を示す。図１０ａおよび図１０ｂも同様に、従来のジムショーツを着用して得られた測定値と比較した、図８の抵抗パンツを着用して測定した膝の最大トルクおよび膝の平均パワーのダイナモメータ試験結果を示す。
【００３８】
上記の結果が示しているのは、継ぎ目無く一体化された抵抗ゾーン１８を図８に示されているように「Ｘ」形の構造に配置した抵抗パンツ１０が、従来のジムショーツと比較すると、測定した動きに関して、股関節および膝の回転にかなり大きな抵抗をかけ、より大きなトルクとパワーを必要としたということである。
【００３９】
本発明の各実施形態は、改善されたフィット感、ファッション性および機能を実現する、人間および動物用の、継ぎ目無しの一体的抵抗ゾーンを有する抵抗衣服を提供する。この継ぎ目無く形成された一体的な抵抗ゾーンを有する抵抗衣服は、身体に精密に適合されて、より滑らかですっきりした外観を作り出す。この継ぎ目無く形成された一体的な抵抗ゾーンを有する抵抗衣服は、着用者の個々の形状に滑らかに適合し、目に見える筋を低減させる。抵抗ゾーンの周囲に継ぎ目が無いことによって、身体が動いたときの快適さが向上する。継ぎ目無く一体化される抵抗ゾーンの配置は、着用者の１つまたは複数の身体部分の動きに抵抗するという点でその機能性を最適化するように、仮想プロトタイピングを用いて精密に行われる。
【００４０】
本明細書の目的上、「備えている」という語は、「含むがこれに限定されない」ことを意味し、「備える」という語は、それに対応する意味を有する。
【００４１】
上記の実施形態は単なる例示として記載されており、以下の特許請求の範囲内で変更が可能である。
【図１】
2018518609.tif 000004
【図２】
2018518609.tif 000005
【図３】
2018518609.tif 000006
【図４】
2018518609.tif 000007
【図５】
2018518609.tif 000008
【図６】
2018518609.tif 000009
【図７】
2018518609.tif 000010
【図８】
2018518609.tif 000011
【図９】
2018518609.tif 000012
【図１０】
2018518609.tif 000013
【国際調査報告】
2018518609.tif 000014
2018518609.tif 000015
2018518609.tif 000016